(57)【要約】【課題】所望の目的に合わせて、より少ない操作によって容易に多彩な空間制御を実現することができる空間制御システム、並びにこれに用いられる空間制御端末及び空間制御装置を提供する。【解決手段】所定の空間の空間パラメータを取得する取得手段と、前記所定の空間パラメータに基づいて、他の空間の空間パラメータを前記所定の空間の空間パラメータに制御する制御手段と、前記所定の空間の空間パラメータを前記制御手段に伝送する伝送手段と、を備えること。【選択図】図１
2014143090.tif 000002
【特許請求の範囲】
【請求項１】
所定の空間の空間パラメータを取得する取得手段と、
前記所定の空間パラメータに基づいて、他の空間の空間パラメータを前記所定の空間の空間パラメータに制御する制御手段と、
前記所定の空間の空間パラメータを前記制御手段に伝送する伝送手段と、
を備えることを特徴とする空間制御システム。
【請求項２】
前記制御手段は、前記所定の空間と前記他の空間との相違点を考慮して前記他の空間の空間パラメータを制御する
ことを特徴とする請求項１に記載の空間制御システム。
【請求項３】
前記取得手段により取得された前記空間のパラメータを格納する格納手段を更に備え、  前記取得手段、前記制御手段、前記伝送手段、及び前記格納手段は、持ち運び自在な空間制御端末に含まれる
ことを特徴とする請求項１又は２に記載の空間制御システム。
【請求項４】
前記伝送手段は、前記取得手段により取得された前記空間のパラメータを格納するサーバ装置を含み、
前記取得手段、及び前記制御手段は、持ち運び自在な空間制御端末に含まれ、
前記空間制御端末は、前記サーバ装置との前記所定の空間パラメータの送受信を行う通信手段を有する
ことを特徴とする請求項１又は２に記載の空間制御システム。
【請求項５】
前記伝送手段は、前記取得手段により取得された前記空間のパラメータを格納するサーバ装置を含む
ことを特徴とする請求項１又は２に記載の空間制御システム。
【請求項６】
前記サーバ装置から前記所定の空間パラメータを受信する受信手段を更に備え、
前記制御手段及び前記受信手段は、前記通信手段によって受信された前記所定の空間パラメータに基づいて前記他の空間の空間パラメータを制御する空間制御装置に含まれる
ことを特徴とする請求項５に記載の空間制御システム。
【請求項７】
前記取得手段及び前記伝送手段は、前記所定の空間内に設けられた空間情報取得装置に含まれ、
前記制御手段は、前記空間情報取得装置から供給される前記所定の空間パラメータに基づいて前記他の空間の空間パラメータを制御する空間制御装置に含まれる
ことを特徴とする請求項１又は２に記載の空間制御システム。
【請求項８】
前記空間制御装置は、前記空間制御装置から前記所定の空間パラメータを受信する受信手段を備える
ことを特徴とする請求項７に記載の空間制御システム。
【請求項９】
前記所定の空間の音声情報を取得し、前記伝送手段を介して前記音声情報を前記制御手段に送信する音声取得部を更に備え、
前記制御手段は、前記音声取得部から受信する前記音声情報を前記他の空間内に設けられた音声出力部から出力するように制御する
ことを特徴とする請求項５乃至８のいずれか１項に記載の空間制御システム。
【請求項１０】
前記所定の空間の映像情報を取得し、前記伝送手段を介して前記映像情報を前記制御手段に送信する映像取得部を更に備え、
前記制御手段は、前記映像取得部から受信する前記映像情報を前記他の空間内に設けられた表示部に表示するように制御する
ことを特徴とする請求項９に記載の空間制御システム。
【請求項１１】
前記取得手段は、前記映像取得部及び前記音声取得部を含む
ことを特徴とする請求項１０に記載の空間制御システム。
【請求項１２】
前記所定の空間に取り付けられた第１照明装置と、
前記他の空間に取り付けられた第２照明装置と、
を更に備え、
前記空間パラメータは、前記第１照明装置及び第２照明装置の照明パラメータを含み、
前記制御手段は、前記第２照明装置の照明パラメータを前記第１照明装置の照明パラメータに変更する
ことを特徴とする請求項１乃至１１のいずれか１項に記載の空間制御システム。
【請求項１３】
前記照明パラメータは、前記第１照明装置及び第２照明装置の照度情報及び色度情報である
ことを特徴とする請求項１２に記載の空間制御システム。
【請求項１４】
前記所定の空間に取り付けられた第１空調装置と、
前記他の空間に取り付けられた第２空調装置と、
を更に備え、
前記空間パラメータは、前記第１空調装置及び第２空調装置の空調パラメータを含み、
前記制御手段は、前記第２空調装置の空調パラメータを前記第１空調装置の空調パラメータに変更する
ことを特徴とする請求項１乃至１３のいずれか１項に記載の空間制御システム。
【請求項１５】
前記空調パラメータは、前記第１照明装置及び第２照明装置の温度情報及び湿度情報である
ことを特徴とする請求項１４に記載の空間制御システム。
【請求項１６】
所定の空間の空間パラメータを取得する取得部と、
前記取得部により取得された前記空間パラメータを格納する格納部と、
前記格納部に格納された前記空間パラメータに基づいて、他の空間の空間パラメータを前記所定の空間の空間パラメータに制御する制御部と、
を備えることを特徴とする空間制御端末。
【請求項１７】
外部から供給される所定の空間の空間パラメータを格納する格納部と、
前記格納部に格納された前記空間パラメータに基づいて、他の空間の空間パラメータを前記所定の空間の空間パラメータに制御する制御部と、
を備えることを特徴とする空間制御装置。
【発明の詳細な説明】
【技術分野】
【０００１】
本発明は、他の屋内又は屋外の空間情報を用いて所望の屋内空間に当該他の屋内又は屋外の空間を擬似的に再現する空間制御システム、並びに当該空間制御システムに使用される空間制御端末及び空間制御装置に関する。
【背景技術】
【０００２】
照明装置の光源として白熱電球や蛍光灯が従来から広く用いられている。近年では、これらに加え、安全性及び省エネの観点から、ＬＥＤや有機ＥＬ（ＯＬＥＤ）等の半導体発光素子を光源とした照明装置が開発され使用されつつある。これらの半導体発光素子では、様々な発光色を得ることが可能であるため、発光色の異なる複数の半導体発光素子を組み合わせ、それぞれの発光色を合成して所望の色の放射光を得るようにした照明装置も開発され使用され始めている。
【０００３】
このような照明装置として、例えば特許文献１には、高彩度形の高圧ナトリウムランプ代替用の蛍光ランプが開示されている。また、特許文献２には、あらゆる色に対して優れた演色性を有するスペクトルを形成するように調整された蛍光灯が開示されている。
【０００４】
また、特許文献３には、ネットワークシステムを利用して家庭のランプ器具を制御する室内照明システムが開示されている。具体的には、ネットワークを介してリモートコントローラと複数のＬＥＤランプ器具が接続された設備制御ユニットとを通信可能に接続し、リモートコントローラを用いて複数のＬＥＤランプ器具の明度、色度、照射角度、及び照明方向を制御する技術が開示されている。
【先行技術文献】
【特許文献】
【０００５】
【特許文献１】特開平１０−２５５７２２号公報
【特許文献２】特開２００２−１９８００９号公報
【特許文献３】特開２０１２−１９５２８６号公報
【発明の概要】
【発明が解決しようとする課題】
【０００６】
しかしながら、従来から知られている照明システムにおいては、コントローラに表示された数値又はコントローラのダイアル等を調整することによって出射する光の各種特性を自在に変化させることはできるものの、使用者自身が当該各種特性に対応した具体的な数値を入力するか、或いはコントローラのダイアルを適切な位置に変更する必要があり、所望の目的に合わせて容易に各種特性を変更することができなかった。例えば、他の空間の照明装置から出射する光と同じような特性を有する光を自身の照明装置から出射させる場合には、当該他の空間の照明から出射する光の各種特性を知る必要があり、照明装置の使用者自身が当該各種特性の入力等の適切な調整を行う必要があった。
【０００７】
また、上記問題は、照明システムに限られることなく、空間の温度又は湿度等の各種の空間パラメータを調整する空間制御システムに対しても生じている。すなわち、自身の周りの空間のパラメータを他の空間のパラメータに調整するためには、空間制御システムの操作者自身が当該他の空間のパラメータを詳細に知る必要があり、多彩な空間制御を容易に行うことが困難であった。
【０００８】
発明はこれらのような課題に鑑みてなされたものであり、その目的とするところは、所望の目的に合わせて、より少ない操作によって容易に多彩な空間制御を実現することができる空間制御システム、並びにこれに用いられる空間制御端末及び空間制御装置を提供することにある。
【課題を解決するための手段】
【０００９】
上記目的を達成するため、本発明の空間制御システムは、所定の空間の空間パラメータを取得する取得手段と、前記所定の空間パラメータに基づいて、他の空間の空間パラメータを前記所定の空間の空間パラメータに制御する制御手段と、前記所定の空間の空間パラメータを前記制御手段に伝送する伝送手段と、を備えることを特徴とする。
【００１０】
上記目的を達成するため、本発明の空間制御装置は、所定の空間の空間パラメータを取得する取得部と、前記取得部により取得された前記空間パラメータを格納する格納部と、前記格納部に格納された前記空間パラメータに基づいて、他の空間の空間パラメータを前記所定の空間の空間パラメータに制御する制御部と、を備えることを特徴とする。
【００１１】
上記目的を達成するため、本発明の空間制御端末は、外部から供給される所定の空間の空間パラメータを格納する格納部と、前記格納部に格納された前記空間パラメータに基づいて、他の空間の空間パラメータを前記所定の空間の空間パラメータに制御する制御部と、を備えることを特徴とする。
【発明の効果】
【００１２】
本発明に係る空間制御システムにおいては、上述した構成から、所望の目的に合わせて、より少ない操作によって容易に多彩な空間制御を実現することができる。
【００１３】
また、本発明に係る空間制御端末及び空間制御装置は、上述した構成から、空間制御システムにおける空間制御をより少ない操作で多彩にすることができる。
【図面の簡単な説明】
【００１４】
【図１】実施例１に係る照明システムのブロック図である。
【図２】実施例１に係る照明システムのブロック図である。
【図３】実施例１に係る照明システムにおける制御フロー図である。
【図４】実施例１に係る照明システムの模式図である。
【図５】実施例１の変形例に係る照明システムのブロック図である。
【図６】実施例１の変形例に係る照明システムにおける制御フロー図である。
【図７】実施例１の変形例に係る照明システムの模式図である。
【図８】実施例２に係る空間制御システムのブロック図である。
【図９】実施例２に係る空間制御システムにおける制御フロー図である。
【図１０】実施例２に係る空間制御システムの模式図である。
【図１１】実施例３に係る空間制御システムのブロック図である。
【図１２】実施例３に係る空間制御システムにおける制御フロー図である。
【図１３】実施例３に係る空間制御システムの模式図である。
【図１４】実施例４に係る空間制御システムのブロック図である。
【図１５】実施例４に係る空間制御システムにおける制御フロー図である。
【図１６】実施例４に係る空間制御システムの模式図である。
【図１７】実施例５に係る空間制御システムのブロック図である。
【図１８】実施例５に係る空間制御システムにおける制御フロー図である。
【図１９】実施例５に係る空間制御システムの模式図である。
【発明を実施するための形態】
【００１５】
以下、図面を参照し、本発明の実施の形態について、実施例及び変形例に基づき詳細に説明する。なお、本発明は以下に説明する内容に限定されるものではなく、その要旨を変更しない範囲において任意に変更して実施することが可能である。また、実施例の説明に用いる図面は、いずれも本発明による空間制御システムを模式的に示すものであって、理解を深めるべく部分的な強調、拡大、縮小、又は省略などを行っており、各構成部材の縮尺や形状等を正確に表すものとはなっていない場合がある。
【実施例１】
【００１６】
＜照明システムの全体構成＞
先ず、図１を参照しつつ本発明の実施例１に係る空間制御システムの一例である照明システム１の全体構成を説明する。図１は、実施例１に係る照明システム１のブロック図である。実施例１においては、空間パラメータの制御として、照明パラメータ（すなわち、照明装置から出射する光の照度及び色度等の光学特性）を制御する場合を説明する。換言すれば、実施例１においては、空間パラメータは、照度情報及び色度情報である照明パラメータとなる。なお、色相、明度、彩度、演色性、色温度等、及び照明装置からの出射光や照射対象物の見え方に関する各種パラメータも照明パラメータとなる。
【００１７】
図１に示すように、照明システム１は、第１空間１０内に設置された第１照明装置１１、第２空間２０内に設置された第２照明装置２１、及び第１空間１０と第２空間２０とにおいて持ち運び自在な空間制御端末３０を有している。実施例１において、第１空間１０とは、例えばレストランのホールを想定し、第２空間２０とは、例えばレストランの化粧室を想定している。なお、第１空間１０及び第２空間２０は、上述した具体的な空間に限定されることなく、照明装置が設置されている一般的な屋内及び屋外の空間を想定することができる。
【００１８】
第１照明装置１１は、一般的なＬＥＤ照明であって、発光源として発光ダイオードを用いた発光部１１ａ、及び当該発光部１１ａから出射する光の照度及び色度等の光学特性である照明パラメータを制御する制御部１１ｂを備えている。
【００１９】
発光部１１ａは、３８０ｎｍ以上であって、４３０ｎｍ以下に発光ピークを有する光を放出する半導体発光素子を有し、少なくとも青色蛍光体、緑色蛍光体および赤色蛍光体の１つを含む半導体発光装置を使用したものが好ましい。このような半導体発光装置を使用したＬＥＤ照明は、照明パラメータを広範に実現することができ、所望に制御することができる。
【００２０】
制御部１１ｂは、有線通信又は無線通信等のデータ通信を利用して、第１照明装置１１の外部から制御信号を受信し、当該制御信号に応じて発光部１１ａに供給される電力を制御し、発光部１１ａから出射する光の照度及び色度等を制御する。制御部１１ｂには、例えば、一般的な中央処理装置（ＣＰＵ：Central Processing Unit）を用いてもよい。
【００２１】
なお、第１照明装置１１は、上述したようなＬＥＤ照明に限定されることなく、電球、蛍光灯、有機エレクトロルミネッセンス等の発光源を用いた照明装置であってもよい。
【００２２】
第２照明装置２１は、第１照明装置１１と同様に一般的なＬＥＤ照明であって、発光源として発光ダイオードを用いた発光部２１ａと、当該発光部２１ａから出射する光の照度及び色度等の光学特性を制御する制御部２１ｂと、空間制御端末３０と無線通信をなすための無線通信部２１ｃと、を備えている。
【００２３】
制御部２１ｂは、無線通信部２１ｃを介して供給される制御信号に応じて発光部２１ａに供給される電力を制御し、発光部２１ａから出射する光の照度及び色度等を制御する。制御部２１ｂは、制御部１１ｂと同様に、一般的な中央処理装置を用いてもよい。
【００２４】
無線通信部２１ｃは、例えば、ZigBee（登録商標）、Bluetooth（登録商標）、又は無線ＬＡＮ等の近距離無線通信規格によるデータの受信を行うことができる無線受信機であってもよい。なお、無線通信部２１ｃは、データの受信のみを行う無線受信機に限られず、第２照明装置２１から外部に向けてデータ送信をすることもできる無線送受信機であってもよい。
【００２５】
空間制御端末３０は、持ち運び自在な携帯端末であって、照射される光の照度及び色度（照明パラメータ）を測定する測定部３０ａと、測定部３０ａによって測定された測定データを格納するメモリ部３０ｂと、無線通信可能な照明装置（本実施例においては第２照明装置２１）と無線通信をなすための無線通信部３０ｃと、測定データの処理及び空間制御端末３０の各構成部の制御をなす制御部３０ｄと、を備えている。例えば、空間制御端末３０は、各空間の照明パラメータを測定及び制御をなす照明用の専用端末であってもよく、又は各空間の照明パラメータを測定する測定装置が内蔵された携帯電話機であってもよい。空間制御端末３０が携帯電話機等の他の機能を備える携帯端末である場合には、携帯電話機等の内部に、照度等の測定の実行及び後述する制御をなすアプリケーションソフトウェアがインストールされていてもよい。
【００２６】
測定部３０ａは、例えば、一般的且つ小型の照度計及び色度計から構成されている。当該照度計及び色度計は、フォトトランジスタ、フォトダイオード、又はフォトダイオード及びアンプ回路を備える一般的な照度センサ及び色度センサを有している。また、空間制御端末が携帯電話機の場合、測定部３０ａとして携帯電話機に内蔵されているカメラモジュールを用いてもよい。
【００２７】
メモリ部３０ｂは、例えば、一般的な揮発性又は不揮発性の半導体メモリである。メモリ部３０ｂには、照明パラメータ以外にも、後述する照明パラメータの補正に関するデータが格納されている。また、空間制御端末３０が携帯電話機等の他の機能を備える携帯端末である場合、メモリ部３０ｂは、測定した照明パラメータを記録するだけでなく、携帯電話等用の各種アプリケーションソフトウェア及び他のデータ等が記録される共用メモリであってもよい。
【００２８】
無線通信部３０ｃは、例えば、ZigBee（登録商標）、Bluetooth（登録商標）、又は無線ＬＡＮ等の近距離無線通信規格によるデータの送信を行うことができる無線送信機器であってもよい。また、空間制御端末３０が携帯電話機等の他の機能を備える携帯端末である場合、無線通信部３０ｃは、例えば、携帯電話機用の無線通信を行うことができる無線通信機器を含んでいてもよい。
【００２９】
制御部３０ｄは、測定部３０ａ、メモリ部３０ｂ、及び無線通信部３０ｃの動作を制御するとともに、測定部３０ａから得られた第１空間１０の照明パラメータに対して補正等の演算を行い、各種の空間に適合する最適な照明パラメータを算出する。制御部３０ｄは、制御部１１ｂと同様に、一般的な中央処理装置を用いてもよい。また、空間制御端末３０が携帯電話機等の他の機能を備える携帯端末である場合、制御部３０ｄは、携帯電話機等用の各種機能を実行するための制御信号を生成し、各種装置の制御及びアプリケーションソフトウェアの実行を行う。
【００３０】
＜照明システムにおける制御＞
次に、図１乃至図４を参照しつつ、照明システム１における制御フローを説明する。ここで、図２は、図１の状態から空間制御端末３０を移動させた状態を示す照明システム１のブロック図である。また、図３は、実施例１に係る照明システム１における制御フロー図である。更に、図４は、実施例１に係る照明システム１の模式図である。なお、実施例１においては、第１空間１０であるレストランのホールにいる空間制御端末３０の操作者が、第２空間２０であるレストランの化粧室に移動して化粧をする際における照明パラメータ制御が想定されている。
【００３１】
先ず、図１の状態において、第１空間１０であるレストランのホールに居る空間制御端末３０の操作者が、空間制御端末３０を操作し、第１照明装置１１から出射する光の照度及び色度等の照明パラメータを測定する（図３：ステップＳ１１）。具体的には、空間制御端末３０にある測定開始ボタンを押すことによって当該照明パラメータの測定が実行されてもよい。また、空間制御端末３０が携帯電話機等の他の機能を備える携帯端末である場合、照明パラメータの測定用のアプリケーションソフトウェアを実行して、容易に照明パラメータを測定してもよい。
【００３２】
次に、制御部３０ｄの制御により、測定した照明パラメータがメモリ部３０ｂに記録される（図３：ステップＳ１２）。具体的には、測定部３０ａとメモリ部３０ｂとは、電気的に接続されており、測定部３０ａとメモリ部３０ｂとを電気的に接続する接続配線を介して測定部３０ａからメモリ部３０ｂに照明パラメータが送信されて記録される。
【００３３】
なお、照明パラメータの測定から記録までの動作は、上述したボタンの押圧やアプリケーションソフトウェアの実行により、一定の周期にて当該測定及び記録を複数回行うようにしてもよい。
【００３４】
次に、必要に応じて制御部３０ｄがメモリ部３０ｂに記録した照明パラメータを補正し、当該補正後の照明パラメータをメモリ部３０ｂに記録する（図３：ステップＳ１３）。具体的な補正として、制御部３０ｄは、第１空間１０と第２空間２０との広さ（例えば、天井の高さ、床面積）の相違を考慮して照明パラメータを補正し、移動先である第２空間２０における最適な照明パラメータを算出する。ここで、第１空間１０における照明パラメータを第２空間２０においてそのまま再現したとしても、空間の広さ等の相違によって当該照明パラメータが第２空間２０では第１空間１０とは異なって感じられる可能性があるため、最適な照明パラメータとは、第１空間１０に居る場合と同じように照度及び色度が感じることができるように補正された照明パラメータのことである。換言すれば、最適な照明パラメータとは、第２空間２０に居ながら、第１空間１０と同一の照明を擬似体感できる照明パラメータである。なお、上述した補正は、任意の制御ステップであり、空間制御端末３０の操作者が当該補正を行うか否かを、空間の状態等に応じて適宜選択することができる。
【００３５】
また、空間制御端末３０の操作者が、第１空間１０及び第２空間２０の種別を予め選択又は入力しておくことにより、第１空間１０と第２空間２０との相違点が制御部３０ｄに認識されることになる。例えば、空間制御端末３０は、移動元及び移動先として、レストランのホール、デパートのフロアー、スタジアム、屋外広場、化粧室等の各種の空間及びその広さを選択することができるようになっていてもよい。
【００３６】
なお、制御部３０ｄは、両空間の広さ以外にも壁の材質、窓の数等の広さ以外の相違点を考慮し、測定された照明パラメータを補正してもよい。
【００３７】
次に、空間制御端末３０の操作者が、空間制御端末３０を携帯したまま、第１空間１０であるレストランのホールから第２空間２０であるレストランの化粧室に移動し、第２空間２０内に到着後（図２の状態）に、空間制御端末３０を操作して第２空間２０に設置された第２照明装置２１の制御を開始する（図３：ステップＳ１４）。具体的には、空間制御端末３０の操作者が、空間制御端末３０に設けられた照明パラメータの変更を実行するボタンを押す（当該ボタンが液晶ディスプレイに表示されている場合にはタッチする）と、制御部３０ｄが、メモリ部３０ｂに格納された補正後の照明パラメータを示す制御信号を無線通信部３０ｃを介して第２照明装置２０に送信する。
【００３８】
次に、上述した制御信号に対応した照明パラメータを有する光が、第２照明装置２０から出射する（図３：ステップＳ１５）。具体的には、無線通信部２１ｂを介して受信した制御信号に応じて制御部２１ｂが発光部２１ａを制御する。例えば、制御部２１ｂは、受信した制御信号に応じて発光部２１ａに供給する電力の供給量を調整し、制御信号に対応する照明パラメータを有する光を発光部２１ａから出射させてもよい。
【００３９】
また、より正確に第１空間１０の照明パラメータを第２空間２０において再現する必要があれば、第２照明装置２１が出射した光を空間制御端末３０が計測して、格納したデータとの差異を算出して補整する制御信号を第２照明装置２１に再度送信してもよい。このような制御により、例えば、第２空間２０においてブラインドを下ろしたり、又は外の天気が雨になった等の第２空間２０の内外における環境の変化に確実に追従し、第１空間１０の照明パラメータを確実に再現することができる。
【００４０】
上述したような一連の制御フローを経ることにより、第２空間２０の第２照明装置２１から出射する光は、第１空間１０の第１照明装置１１から出射する光と完全に同一又はほぼ同一の照度及び色度を有することになる。このようにすることにより、空間制御端末３０の操作者は、第１空間１０にいる場合と同様の照明によって、第２空間２０である化粧室で化粧直し等の所望の作業をすることができる。すなわち、空間制御端末３０の操作者は、第１空間１０と第２空間２０との照明パラメータの相違による化粧の色映えを考慮することなく、第１空間１０において望まれる化粧を容易に行うことができる。
【００４１】
また、空間制御端末３０の操作者は、第１照明装置１１から出射する光の詳細な照明パラメータを知る必要がないため、第２照明装置２１の調光及び調色のためのダイアル等を詳細に制御する必要がなく、容易に第２照明装置２１の調光及び調色等を実行することができる。
【００４２】
更に、本実施例の制御フローにおいては、測定された照明パラメータを移動先の空間において最適な照明パラメータに補正している。このため、空間制御端末３０の操作者は、移動元と移動先との空間の相違によらず、移動先にいながら移動元の照明を体感することができ、第１空間１０において望まれ化粧を確実に実現することができる。
【００４３】
実施例１においては、空間制御端末３０の測定部３０ａが、空間パラメータである照明パラメータを取得する取得手段として機能し、空間制御端末３０の制御部３０ｄが制御手段として機能し、測定部３０ａと制御部３０ｄとを接続する回路構成が測定部３０ａで取得した照明パラメータを制御部３０ｄに伝送する伝送手段として機能する。また、空間制御端末３０のメモリ部３０ｂが空間パラメータである照明パラメータを格納する格納手段として機能する。従って、実施例１においては、当該取得手段、制御手段、伝送手段、及び格納手段は、空間制御端末３０に含まれていることになる。
【００４４】
＜変形例＞
上述した実施例においては、測定した照明パラメータ及び補正後の照明パラメータを空間制御端末３０内のメモリ部３０ｂに記録したが、空間制御端末３０の外部に設けられたサーバ装置に当該照明パラメータを記録してもよい。このようなサーバ装置を含む照明システム１'を実施例１の変形例として、図５乃至図７を参照しつつ、その構成及び制御フローについて説明する。ここで、図５は、実施例１の変形例に係る照明システム１'のブロック図であり、図６は、実施例１の変形例に係る照明システム１'における制御フロー図であり、図７は、実施例１の変形例に係る照明システム１'の模式図である。なお、図５においては、空間制御端末の移動前後の状態を合わせて図示しているため、空間制御端末が２つ記載されているが、実際には１つである。また、上述した実施例１と同一の構成については、同一の符号を付し、その説明を省略する。
【００４５】
図５に示すように、実施例１の変形例に係る照明システム１'は、第１空間１０及び第２空間とは異なる場所にサーバ装置４０を備えている。サーバ装置４０は、照明パラメータを格納するとともに当該照明パラメータに対する演算も可能な一般的なコンピュータであって、空間制御端末３０'の測定部３０ａによって測定された測定データである照明パラメータを格納するメモリ部４０ａと、空間制御端末３０と無線通信をなすための無線通信部４０ｂと、測定データの処理及びサーバ装置４０の各構成部の制御をなす制御部４０ｃと、を備えている。
【００４６】
メモリ部４０ａは、例えば、一般的な揮発性の半導体メモリである。また、メモリ部４０ａは、複数の空間制御端末３０'から送信される照明パラメータを、個別に記録するとともに当該記録された照明パラメータを自在に取り出すことができる。
【００４７】
無線通信部４０ｂは、空間制御端末３０'とサーバ装置４０とが比較的に遠距離となるため、例えば、無線ＭＡＮ又は無線ＷＡＮ等の遠距離無線通信規格によるデータの送受信を行うことができる無線送受信機器であってもよい。
【００４８】
制御部４０ｃには、例えば、メモリ部４０ａ及び無線通信部４０ｂの動作を制御する一般的な中央処理装置を用いてもよい。また、制御部４０ｃは、上述した実施例１に係る空間制御端末３０の制御部３０ｄと同様に、空間制御端末３０'から受信した第１空間１０の照明パラメータに対して補正等の演算を行い、各種の空間に適合する最適な照明パラメータを算出してもよい。
【００４９】
また、図５から分かるように、空間制御端末３０'は、実施例１の空間制御端末３０と異なり、メモリ部３０ｂを内蔵していないが、その他の構成は実施例１の空間制御端末３０と同一である。なお、空間制御端末３０'が携帯電話等の他の機能を備える携帯端末である場合、空間制御端末３０'の内部には、携帯電話等の機能を実行するためのアプリケーションソフトウェア等が記録されたメモリ部が設けられていることになる。
【００５０】
更に、空間制御端末３０'の無線通信部３０ｃは、遠距離にあるサーバ装置４０と無線通信を行うため、ZigBee（登録商標）、Bluetooth（登録商標）、無線ＬＡＮ等の近距離無線通信規格によるデータの送信を行うことができる無線送信機器に加えて、無線ＭＡＮ又は無線ＷＡＮ等の遠距離無線通信規格によるデータの送受信を行うことができる無線送受信機器を含んでいる。
【００５１】
次に、図５乃至図７を参照しつつ、照明システム１'における制御フローを説明する。本変形例においも、第１空間１０であるレストランのホールにいる空間制御端末３０'の操作者が、第２空間２０である化粧室に移動して化粧をする際における照明パラメータ制御が想定されている。
【００５２】
先ず、第１空間１０であるレストランのホールにいる空間制御端末３０の操作者'が、空間制御端末３０'を操作し、第１照明装置１１から出射する光の照度及び色度等の照明パラメータを測定する（図６：ステップＳ２１）。具体的には、空間制御端末３０と同様に、空間制御端末３０'にある測定開始ボタンを押すことによって当該照明パラメータの測定が実行されてもよく、照明パラメータの測定用のアプリケーションソフトウェアを実行して、容易に照明パラメータを測定してもよい。
【００５３】
次に、空間制御端末３０'の無線通信部３０ｃを利用してサーバ装置４０にアクセスし、空間制御端末３０'からサーバ装置４０に対して、当該測定した照明パラメータを送信する（図６：ステップＳ２２）。その後、サーバ装置４０において、制御部４０ｃの制御により、受信した照明パラメータがメモリ部４０ａに記録される（図６：ステップＳ２３）。
【００５４】
なお、照明パラメータの測定から送信までの動作は、上述したボタンの押圧やアプリケーションソフトウェアの実行により、一定の周期にて複数回行われるようにしてもよい。このような場合、サーバ装置４０は、受信する照明パラメータをそれぞれ記録してもよく、又は上書きするようにしてもよい。また、サーバ装置４０において照明パラメータが記録された後に、上述した実施例１と同様に、当該照明パラメータを補正し、補正後の照明パラメータを記録してもよい。
【００５５】
次に、空間制御端末３０'の操作者が、空間制御端末３０'を携帯したまま、第１空間１０であるレストランのホールから第２空間２０であるレストランの化粧室に移動し、第２空間２０内に到着後に、空間制御端末３０'を操作してサーバ装置４０にアクセスし、サーバ装置４０から照明パラメータを空間制御端末３０'にダウンロードする（図６：ステップ２４）。この際、サーバ装置４０のメモリ部４０ａに複数の照明パラメータが存在する場合には、最新の照明パラメータを自動的にダウンロードしてもよく、又は空間制御端末３０'の操作者にダウンロードするデータを選択させてもよい。
【００５６】
次に、空間制御端末３０'から照明パラメータに対応する制御信号が第２照装置２０に送信される（図６：ステップＳ２５）。具体的には、空間制御端末３０'の制御部３０ｄの制御により、無線通信部３０ｃを構成する近距離無線通信用の無線送信機を介して当該制御信号が送信される。
【００５７】
次に、上述した制御信号に対応した照明パラメータを有する光が、第２照明装置２０から出射する（図６：ステップＳ２６）。具体的には、無線通信部２１ｂを介して受信した制御信号に応じて制御部２１ｂが発光部２１ａを制御する。例えば、制御部２１ｂは、受信した制御信号に応じて発光部２１ａに供給する電力の供給量を調整し、制御信号に対応する照明パラメータを有する光を発光部２１ａから出射させてもよい。
【００５８】
本変形例においては、上述した実施例１と比較して照明パラメータを外部のメモリ部４０ａに保存する点のみが相違し、その他の点は上述した実施例１と同様の制御フローを経るため、第２空間２０の第２照明装置２１から出射する光は、第１空間１０の第１照明装置１１から出射する光と同一の照度及び色度を有することになり、空間制御端末３０'の操作者は、第１空間１０にいる場合と同様の照明によって、第２空間２０である化粧室で化粧直し等の所望の作業をすることができる。
【００５９】
また、空間制御端末３０'の操作者は、第１照明装置１１から出射する光の詳細な照明パラメータを知る必要がないため、上述した実施例１の場合と同様に、第２照明装置２１の調光及び調色のためのダイアル等を詳細に制御する必要がなく、容易に第２照明装置２１の調光及び調色等を実行することができる。
【００６０】
本変形例においては、空間制御端末３０'の測定部３０ａが、空間パラメータである照明パラメータを取得する取得手段として機能し、空間制御端末３０'の制御部３０ｄが制御手段として機能する。また、無線通信部３０ｃからサーバ装置４０を介して無線通信部３０ｃに再び空間パラメータが伝送されることが伝送手段に該当することになり、当該伝送手段にはサーバ装置４０が含まれることになる。従って、本変形例においては、当該取得手段、制御手段は、空間制御端末３０に含まれていることになる。更に、空間制御端末３０の無線通信手段３０ｃは、サーバ装置４０と空間パラメータの送受信を行う通信手段として機能する。
【実施例２】
【００６１】
実施例１においては、移動先の空間パラメータである照明パラメータを移動元の照明パラメータに制御する空間制御システム及びその制御フローを説明したが、移動元の空間パラメータを移動先等の他の空間の空間パラメータに制御してもよい。このような空間パラメータ制御を行う空間制御システム１０１を本発明の実施例２とし、図８乃至図１０を参照しつつ以下に説明する。ここで、図８は、実施例２に係る空間制御システム１０１のブロック図であり、図９は、実施例２に係る空間制御システム１０１における制御フロー図であり、図１０は、実施例２に係る空間制御システム１０１の模式図である。
【００６２】
＜空間制御システムの全体構成＞
先ず、図８を参照しつつ本発明の実施例２に係る空間制御システム１０１の全体構成を説明する。実施例２においては、空間パラメータの制御として、実施例１と同一の照明パラメータ、及び空調パラメータ（空間の温湿情報及び湿度情報等）を制御する場合を説明する。換言すれば、実施例２においては、空間パラメータは、照度情報及び色度情報である照明パラメータと、温度情報及び湿度情報である空調パラメータと、から構成されている。
【００６３】
図８に示すように、空間制御システム１０１においては、第１空間１１０内に第１照明装置１１１、第１空調装置１１２、及び空間制御装置１１３が設置されている。また、空間制御システム１０１においては、第２空間１２０内に第２照明装置１２１、第２空調装置１２２、及び空間パラメータ測定装置１２３が設置されている。更に、空間制御システム１０１は、第１空間１１０及び第２空間１２０とは異なる空間にサーバ装置１４０を有している。実施例２において、第１空間１１０とは、例えば家屋の部屋を想定し、第２空間１２０とは、例えばレストランのホールを想定している。なお、第１空間１１０及び第２空間１２０は、上述した具体的な空間に限定されることなく、照明装置及び空調装置が設置されている一般的な屋内及び屋外の空間を想定することができる。
【００６４】
第１照明装置１１１及び第２照明装置１２１は、一般的なＬＥＤ照明である。特に、第１照明装置１１１は、発光源として発光ダイオードを用いた発光部１１１ａを備え、第２照明装置１２１は、発光源として発光ダイオードを用いた発光部１２１ａを備えている。
【００６５】
第１空調装置１１２及び第２空調装置１２２は、例えば、一般的なエア・コンディショナーである。特に、第１空調装置１１２は、第１空間１１０内の温度を調整する温度調整部１１２ａ、及び第１空間１１０内の湿度を調整する湿度調整部１１２ｂを備え、第２空調装置１２２は、第２空間１２０内の温度を調整する温度調整部１２２ａ、及び第２空間１２０内の湿度を調整する湿度調整部１２２ｂを備えている。
【００６６】
空間制御装置１１３は、第１照明装置１１１及び第１空調装置１１２を制御し、第１空間１１０内の照明パラメータ及び空調パラメータを制御する制御機器である。図８に示すように、空間制御装置１１３は、サーバ装置１４０と無線通信をなすための無線通信部１１３ａと、所定のプログラムが記録されたメモリ部１１３ｂと、無線通信部１１３ａ及びメモリ部１１３ｂの制御をなすとともに第１照明装置１１１及び第１空調装置１１２に供給する電力等を決定して両装置の動作状態を制御する制御部１１３ｃと、を備えている。実施例２においては、空間制御装置１１３は、第１空間１１０である部屋の壁に取り付けられ、第１照明装置１１１及び第１空調装置１１２と電気ケーブル等で電気的に接続されている。
【００６７】
無線通信部１１３ａは、空間制御装置１１３とサーバ装置１４０とが比較的に遠距離となるため、例えば、無線ＭＡＮ又は無線ＷＡＮ等の遠距離無線通信規格によるデータの送受信を行うことができる無線受信機であってもよい。なお、空間制御装置１１３をリモコン等の持ち運び自在な機器とする場合、第１照明装置１１１及び第１空調装置１１２とZigBee（登録商標）、Bluetooth（登録商標）、又は無線ＬＡＮ等の近距離無線通信規格によるデータの送信を行うことができる無線送信機を含んでいてもよい。このような場合には、第１照明装置１１１及び第１空調装置１１２は無線受信機である無線通信部を備えることになる。
【００６８】
メモリ部１１３ｂは、例えば、一般的な揮発性の半導体メモリである。メモリ部１１３ｂには、第１照明装置１１１及び第１空調装置１１２を制御するためのプログラムが記録されている。例えば、空間制御装置１１３の操作者が希望の空間を選択することにより、当該空間の照明パラメータ及び空調パラメータを再現するようなプログラムが記録されている。
【００６９】
制御部１１３ｃは、メモリ部１１３ｂに記録されたプログラムを実行し、第１照明装置１１１及び第１空調装置１１２を制御する。より具体的には、無線通信部１１３ａを制御して、サーバ装置１４０にアクセスし、所望の空間（本実施例では第２空間１２０）の照明パラメータ及び空調パラメータをダウンロードする。そして、制御部１１３ｃは、ダウンロードした照明パラメータ及び空調パラメータに応じて発光部１１１ａ、温度調整部１１２ａ、及び湿度調整部１１２ｂに供給される電力等を制御し、発光部１１１ａから出射する光の照度及び色度、第１空調装置１１２から供給される空気の温度及び湿度を制御する。制御部１１３ｃは、一般的な中央処理装置を用いてもよい。
【００７０】
空間パラメータ測定装置１２３は、第２空間１２０の第２照明装置１２１から出射する光の照度及び色度等である照明パラメータ、並びに第２空間１２０内の温度及び湿度で空調パラメータを測定する測定機器である。図８に示すように、空間パラメータ測定装置１２３は、照射される光の照度及び色度並びに第２空間１２０内の温度及び湿度を測定する測定部１２３ａと、サーバ装置１４０と無線通信をなすための無線通信部１２３ｂと、空間パラメータ測定装置１２３の各構成部の制御をなす制御部１２３ｃと、を備えている。空間パラメータ測定装置１２３は、第２空間１２０内に固定して設置されてもよく、或いは他空間に持ち運び自在な測定機器であってもよい。
【００７１】
測定部１２３ａは、例えば、照明パラメータを測定するための一般的且つ小型の照度計及び色度計と、空調パラメータを測定するための温度計及び湿度計と、から構成されている。当該照度計及び色度計は、例えば、フォトトランジスタ、フォトダイオード、又はフォトダイオード及びアンプ回路を備える一般的な照度センサ及び色度センサを有していてもよい。当該温度計は、接触型又は非接触型のいずれの型式であってもよく、例えば、白銀測温抵抗体、サーミスタ、熱電対、又はトランジスタの温度特性を利用した温度センサを有している。当該湿度センサは、例えば、電子式高分子湿度センサを有してもよく、抵抗変化型又は静電容量変化型のいずれの型式であってもよい。
【００７２】
無線通信部１２３ｂは、空間パラメータ測定装置１２３とサーバ装置１４０とが比較的に遠距離となるため、例えば、無線ＭＡＮ又は無線ＷＡＮ等の遠距離無線通信規格によるデータの送受信を行うことができる無線送信機器であってもよい。
【００７３】
制御部１２３ｃは、測定部１２３ａ及び無線通信部１２３ｂの動作を制御する。制御部１２３ｃは、制御部１１３ｃと同様に、一般的な中央処理装置を用いてもよい。
【００７４】
サーバ装置１４０は、照明パラメータ及び空調パラメータを格納するとともに、当該照明パラメータに対する演算も可能な一般的なコンピュータである。具体的な構成として、サーバ装置１４０は、空間パラメータ測定装置１２３の測定部１２３ａによって測定された測定データである照明パラメータ及び空調パラメータを格納するメモリ部１４０ａと、空間制御装置１１３及び空間パラメータ測定装置１２３と無線通信をなすための無線通信部１４０ｂと、測定データの処理及びサーバ装置１４０の各構成部の制御をなす制御部１４０ｃと、を備えている。
【００７５】
メモリ部１４０ａは、例えば、一般的な揮発性の半導体メモリである。また、メモリ部１４０ａは、互いに異なる空間に設置された複数の空間パラメータ測定装置１２３から送信される照明パラメータ及び空調パラメータを、個別に記録するとともに当該記録された照明パラメータ及び空調パラメータを自在に取り出すことができる。
【００７６】
無線通信部１４０ｂは、空間制御装置１１３との距離及び空間パラメータ測定装置１２３との距離が比較的に遠距離となるため、例えば、無線ＭＡＮ又は無線ＷＡＮ等の遠距離無線通信規格によるデータの送受信を行うことができる無線送受信機器であってもよい。
【００７７】
制御部１４０ｃには、例えば、メモリ部１４０ａ及び無線通信部１４０ｂの動作を制御する一般的な中央処理装置を用いてもよい。また、制御部１４０ｃは、上述した実施例１に係る空間制御端末３０の制御部３０ｄと同様に、空間パラメータ測定装置１２３から受信した第２空間１２０の空間パラメータに対して補正等の演算を行い、各種の空間に適合する最適な空間パラメータを算出してもよい。
＜空間制御システムにおける制御＞
【００７８】
次に、図８乃至図１０を参照しつつ、空間制御システム１０１における制御フローを説明する。実施例２においては、第１空間１１０である家屋の屋内にいる空間制御装置１１３の操作者が、移動先である第２空間１２０であるレストランのホールの空間パラメータを第１空間１１０にて擬似的に再現して化粧等の準備をなすまでの空間パラメータの制御が想定されている。
【００７９】
先ず、空間パラメータ測定装置１２３によって第２照明装置１２０から出射する光の照度及び色度である照明パラメータ、並びに第２空間１２０の温度及び湿度である空調パラメータが測定される（図９：ステップＳ３１）。
【００８０】
次に、空間パラメータ測定装置１２３の無線通信部１２３ｂとサーバ装置１４０の無線通信部１４０ｂとが通信可能状態となり、測定された照明パラメータ及び空調パラメータがサーバ装置１４０に送信される（図９：ステップＳ３２）。なお、第２空間１２０における照明パラメータ及び空調パラメータの測定及びサーバ装置１４０への送信は自動的且つ定期的に行われる。
【００８１】
次に、サーバ装置１４０において、制御部１４０ｃの制御により、受信した照明パラメータ及び空調パラメータがメモリ部１４０ａに記録される（図９：ステップＳ３３）。ここでサーバ装置１４０は、受信した全ての照明パラメータをそれぞれ記録してもよく、又は上書きをして最新データのみを記録してもよい。また、サーバ装置１４０において空間パラメータが記録された後に、上述した実施例１と同様に、当該空間パラメータを補正し、補正後の空間パラメータを記録してもよい。
【００８２】
なお、図８においては、第２空間１２０の照明パラメータ及び空調パラメータがサーバ装置１４０に送信されるように図示されているが、実際には第１空間１１０及び第２空間１２０以外の複数の空間のそれぞれに設置された空間パラメータ測定装置から照明パラメータ及び空調パラメータが送信されている。従って、サーバ装置１４０においては、空間ごとに照明パラメータ及び空調パラメータが記録されていることになる。
【００８３】
次に、第１空間１１０に居る空間制御装置１１３の操作者が空間制御装置１１３を操作し、空間制御装置１１３からサーバ装置１４０にアクセスし、サーバ装置１４０から第２空間１２０の照明パラメータ及び空調パラメータをダウンロードする（図９：ステップＳ３４）。より具体的には、空間制御装置の操作ボタン又は操作画面（図示せず）等を操作して、メモリ部１１３ｂ内に記録されたプログラムを立ち上げ、第２空間１２０であるレストランのホールを選択する。その後は、空間制御装置１１３からサーバ装置１４０にアクセスが自動的になされ、メモリ部１４０ａ内に記録された第２空間１２０の照明パラメータ及び空調パラメータがダウンロードされることになる。
【００８４】
次に、制御部１１３ｃがダウンロードした照明パラメータ及び空調パラメータに基づき、第１照明装置１１１及び第１空調装置１１２を制御する（図９：ステップＳ３５）。具体的には、制御部１１３ｃがダウンロードした照明パラメータ及び空調パラメータに基づいて第１照明装置１１１及び第１空調装置１１２の動作状態を決定し、当該動作状態を実現できるように第１照明装置１１１及び第１空調装置１１２への電力等の供給を制御する。
【００８５】
次に、第１照明装置１１１の調光及び調色がなされて第２空間１２０で測定された照明パラメータと同一の光が第１照明装置１１１から出射し、第１空間１１０の温度及び湿度の調整がなされて第１空間１１０の温度及び湿度が第２空間１２０の温度及び湿度と同一になる（図９：ステップＳ３６）。
【００８６】
上述したような一連の制御フローを経ることにより、第１空間１１０の第１照明装置１１１から出射する光は、第２空間１１０の第２照明装置１２１から出射する光と同一の照度及び色度を有することになる。また、第１空間１１０の温度及び湿度は、第２空間１２０の温度及び湿度と同一になる。このようにすることにより、空間制御装置１１３の操作者は、第２空間１２０のレストランのホールにいる場合と同様の照明によって、第１空間１１０である家屋の部屋で化粧及び洋服の色の選択等の所望の作業を行うことができる。また、空間制御装置１１３の操作者は、第２空間１２０のレストランのホールの温度及び湿度を体感することができ、第２空間１２０の温度及び湿度に適合した洋服を選択する等の所望の作業をすることができる。すなわち、空間制御装置１１３の操作者は、第１空間１１０に居ながら、移動先である第２空間１２０において望まれる化粧の実施及び洋服の選択等の所望の作業を行うことができる。
【００８７】
また、空間制御装置１１３の操作者は、第２照明装置１２１から出射する光の詳細な照明パラメータ、並びに第２空間１２０の温度及び湿度を知る必要がないため、第１照明装置１１１の調光及び調色並びに温度及び湿度の変更のためのダイアル等を詳細に制御する必要がなく、容易に第１照明装置１１１の調光及び調色並びに温度及び湿度調整を実行することができる。
【００８８】
実施例２においては、空間パラメータ測定装置１２３の測定部１２３ａが、空間パラメータを取得する取得手段として機能し、空間制御装置１１３の制御部１１３ｃが制御手段として機能する。また、無線通信部１２３ｂからサーバ装置１４０を介して無線通信部１１３ａに空間パラメータが伝送されることが伝送手段に該当することになり、当該伝送手段にはサーバ装置１４０が含まれることになる。更に、空間制御装置１１３の無線通信部１１３ａが、空間パラメータを受信する受信手段に該当する。従って、実施例２においては、当該制御手段及び当該受信手段が空間制御装置１１３に含まれることになる。
【００８９】
なお、上述した実施例２においては、移動先である第２空間１２０を特定の屋内であるレストランのホールとしたが、例えば、一般的な屋外や景勝地等の一地方としてもよい。このような場合には、第２照明装置１２１及び第２空調装置１２２は不要となり、空間パラメータ測定装置１２３は、選択された屋外の太陽光の照度及び色度、並びに外気温及び外湿度を測定することになる。そして、第１空間１１０に居る空間制御装置１１３の操作者は、第１空間１１０に居ながら第２空間１２０を擬似的に体感し、快適に生活等をすることが可能になる。ここで、第１空間１１０と第２空間１２０との間に時差がある場合には、サーバ装置１４０ａのメモリ部１４０ａに記録された所望の時刻の照明パラメータ及び空調パラメータを取得してもよい。
【００９０】
また、第１空間１１０を移動元である家屋の部屋としたが、例えば飛行機、列車等の乗物の機内とし、移動先を景勝地等の屋外としてもよい。特に飛行機の場合においては、移動元と移動先との時差が大きい場合に、飛行機内の照明パラメータを移動先の照明パラメータに合わせることにより、移動先に到着した際の時差ぼけを緩和することができる。そして、飛行機の出発した時点において移動先の照明パラメータに合わせずに、飛行機の到着時点において移動先の照明パラメータと飛行機内の照明パラメータが一致するように、飛行機内の照明パラメータを変化せることがより好ましい。具体的に説明すると、時差が１２時間であって、飛行機の移動時間が１２時間である場合に、飛行機の移動時間１２時間の間に、１日分の照明パラメータの変化を実現することがより好ましい。このようにすることで、飛行機の移動時間の間で徐々に体内時計のずれを解消し、移動先の到着時に体内時計のずれが低減され、時差ぼけが緩和できることになる。
【００９１】
更に、上述した実施例２においては、サーバ装置１４０を介して照明パラメータ及び空調パラメータが送受信されていたが、空間パラメータ測定装置１２３から空間制御装置１１３に直接的に照明パラメータ及び空調パラメータが送信されてもよい。このような場合、空間制御装置１１３のメモリ部１１３ｂに受信した照明パラメータ及び空調パラメータが記録されてもよいし、別の専用メモリを設けてもよい。
【００９２】
そして、上述した実施例２の制御フローにおいては、サーバ装置１４０において照明パラメータ及び空調パラメータを補正していなかったが、上述した実施例１と同様にして補正してもよい。このようにすることで、空間制御装置１１３の操作者は、移動元と移動先との空間の相違によらず、移動先にいながら移動元の照明、温度、及び湿度を体感することができ、第２空間１２０において望まれる化粧及び洋服の選択等の所望の作業を確実に行うことができる。
【実施例３】
【００９３】
実施例３においては、家屋等の特定の場所に居る者と、他の場所に居る者が携帯電話機で会話をしつつ同一の空間情報を体感することができる空間制御システム２０１について、図１１乃至図１３を参照しつつ以下に説明する。ここで、図１１は、実施例３に係る空間制御システム２０１のブロック図であり、図１２は、実施例３に係る空間制御システム２０１における制御フロー図であり、図１３は、実施例３に係る空間制御システム２０１の模式図である。
【００９４】
＜空間制御システムの全体構成＞
先ず、図１１を参照しつつ本発明の実施例３に係る空間制御システム２０１の全体構成を説明する。実施例３においては、空間パラメータの制御として、実施例２と同様に照明パラメータ及び空調パラメータを制御する場合を説明する。
【００９５】
図１１に示すように、空間制御システム２０１においては、第１空間２１０内に第１照明装置２１１及び第１空調装置２１２が設置され、携帯電話機２１３が置かれている。また、空間制御システム２０１においては、第２空間２２０内に携帯電話機２２３が置かれている。実施例３において、第１空間２１０とは、例えば東京に建てられた家屋の部屋を想定し、第２空間２２０とは、例えばアマゾンの密林を想定している。なお、第１空間２１０及び第２空間２２０は、上述した具体的な空間に限定されることなく、照明装置及び空調装置が設置されている一般的な屋内及びその他の屋外の空間を想定することもできる。
【００９６】
第１照明装置２１１は、一般的なＬＥＤ照明であって、発光源として発光ダイオードを用いた発光部２１１ａと、当該発光部２１１ａから出射する光の照度及び色度等の光学特性を制御する制御部２１１ｂと、携帯電話機２１３と無線通信をなすための無線通信部２１１ｃと、を備えている。
【００９７】
制御部２１１ｂは、無線通信部２１１ｃを介して供給される制御信号に応じて発光部２１１ａに供給される電力を制御し、発光部２１１ａから出射する光の照度及び色度等を制御する。また、制御部２１１ｂは、無線通信部２１１ｃの動作も制御する。制御部２１１ｂは、一般的な中央処理装置を用いてもよい。
【００９８】
無線通信部２１１ｃは、例えば、ZigBee（登録商標）、Bluetooth（登録商標）、又は無線ＬＡＮ等の近距離無線通信規格によるデータの受信を行うことができる無線受信機であってもよい。なお、無線通信部２１１ｃは、データの受信のみを行う無線受信機に限られず、第１照明装置２１１から外部に向けてデータ送信をすることもできる無線送受信機であってもよい。
【００９９】
第１空調装置２１２は、例えば、一般的なエア・コンディショナーである。具体的には、第１空調装置２１２は、第１空間２１０内の温度を調整する温度調整部２１２ａと、第１空間２１０内の湿度を調整する湿度調整部２１２ｂと、温度調整部２１２ａ及び湿度調整部２１２ｂの動作を制御する制御部２１２ｃと、携帯電話機２１３と無線通信をなすための無線通信部２１２ｄと、を備えている。
【０１００】
制御部２１２ｃは、無線通信部２１２ｄを介して供給される制御信号に応じて温度調整部２１２ａ及び湿度調整部２１２ｂに供給される電力等を制御し、温度調整部２１２ａ及び湿度調整部２１２の動作を制御して第１空間２１０内の温度及び湿度を制御する。また、制御部２１２ｃは、無線通信部２１２ｄの動作も制御する。制御部２１２ｃは、制御部２１１ｂと同様に、一般的な中央処理装置を用いてもよい。
【０１０１】
無線通信部２１２ｄは、無線通信部２１１ｃと同様に、ZigBee（登録商標）、Bluetooth（登録商標）、又は無線ＬＡＮ等の近距離無線通信規格によるデータの受信を行うことができる無線受信機であってもよく、第１空調装置２１２から外部に向けてデータ送信をすることもできる無線送受信機であってもよい。
【０１０２】
携帯電話機２１３は、電話機能の他に種々の機能を備えている一般的な電話機である。具体的に、携帯電話機２１３は、音声入出力部２１３ａと、文字及び画像等を表示する表示する表示部２１３ｂと、他の携帯電話機（本実施例においては携帯電話機２２３）と無線通信をなすための無線通信部２１３ｃと、照射される光の照明パラメータ及び空調パラメータを測定する測定部２１３ｄと、測定部２１３ｄによって測定された測定データを格納するメモリ部２１３ｅと、携帯電話機２１３の各構成部の制御をなす制御部２１３ｆと、を備えている。
【０１０３】
音声入出力部２１３ａは、携帯電話機用の一般的なスピーカ及びマイクを備え、通話相手からの音声を出力し、携帯電話機２１３の操作者の音声を取得する機能を有している。換言すれば、音声入出力部２１３ａは、音声情報を取得する音声情報取得部として機能する。
【０１０４】
表示部２１３ｂは、例えば、液晶ディスプレイから構成され、種々の文字、写真、動画等を表示する機能を有している。
【０１０５】
無線通信部２１３ｃは、無線ＷＡＮ等の遠距離無線通信規格によるデータの送受信を行うことができる無線送受信機器、及びZigBee（登録商標）、Bluetooth（登録商標）、又は無線ＬＡＮ等の近距離無線通信規格によるデータの送信を行うことができる無線送信機器を備えている。このように構成する理由は、通話相手との無線通信のため、及び第１空間２１０内における制御信号の送信のためである。
【０１０６】
測定部２１３ｄは、例えば、照明パラメータを測定するための一般的且つ小型の照度計及び色度計と、空調パラメータを測定するための温度計及び湿度計と、から構成されている。当該構成は実施例２の測定部１２３ａと同一であるため、その説明は省略する。
【０１０７】
メモリ部２１３ｅは、例えば、一般的な揮発性の半導体メモリである。メモリ部２１３ｅには、携帯電話等用の各種アプリケーションソフトウェア、測定部２１３ｄにおいて測定した照明パラメータ及び空調パラメータ、及びその他の外部から取得したデータ等が記録されている。
【０１０８】
制御部２１３ｆは、音声入出力部２１３ａ、表示部２１３ｂ、無線通信部２１３ｃ、測定部２１３ｄ、及びメモリ部２１３ｅの動作を制御する。より具体的に、制御部２１３ｆは、携帯電話機等用の各種機能を実行するための制御信号を生成し、アプリケーションソフトウェアの実行を行う。更に、制御部２１３ｆは、通話相手の携帯電話機２２３から送信される第２空間２２０の照明パラメータ及び空調パラメータに基づいて第１照明装置２１１及び第１空調装置２１２を制御するための制御信号を生成する。そして、制御部２１３ｆは、通話相手の携帯電話機２２３から送信される第２空間２２０の照明パラメータ及び空調パラメータを上述した実施例１と同様に補正等の演算を行い、各種の空間に適合する最適な照明パラメータ及び空調パラメータを算出してもよい。なお、制御部２１３ｆは、他の制御部と同様に、一般的な中央処理装置を用いてもよい。
【０１０９】
携帯電話機２２３は、携帯電話機２１３と同一の構成であって、音声入出力部２２３ａ、表示部２２３ｂ、無線通信部２２３ｃ、測定部２２３ｄ、メモリ部２２３ｅ、及び制御部２２３ｆを備えている。ここで、携帯電話機２２３の説明は携帯電話機２１３と同一であるため省略する。
＜空間制御システムにおける制御＞
【０１１０】
次に、図１１乃至図１３を参照しつつ、空間制御システム２０１における制御フローを説明する。実施例３においては、第１空間２１０である東京の家屋の屋内にいる携帯電話機２１３の操作者が、第２空間２２０であるアマゾンの密林にいる通話相手と通話しつつ、アマゾンの密林の空間パラメータを第１空間２１０にて擬似的に再現することが想定されている。
【０１１１】
先ず、第１空間２１０に居る携帯電話機２１３の操作者が、第２空間２２０にいる通話相手に電話をかける（図１２：ステップＳ４１）。具体的には、無線通信部２１３ｃを用い、電話網を介して携帯電話機２２３にアクセスする。この際、通話相手の空間パラメータ（照明パラメータ及び空調パラメータ）を取得するアプリケーションプログラムを立ち上げることになる。
【０１１２】
次に、第２空間２２０に居る通話相手が着信があること、相手から空間パラメータを要求されていることを確認して電話にでる（ステップＳ４２）。ここで、相手から空間パラメータを要求されていることを認識できるということは、携帯電話機２２３にも携帯電話機２１３と同様のアプリケーションソフトがインストールされ、更には空間パラメータを測定する機器を備えていることが前提となる。なお、本実施例では、携帯電話機２１３と携帯電話機２２３とは同一機種を想定しているため、当該条件を満たしていることになる。
【０１１３】
第２空間２２０に居る通話相手が電話にでると通話可能状態となり、第１空間２１０にいる携帯電話機２１３の操作者と、第２空間２２０にいる携帯電話機２２３の操作者が通話を開始する。そして、携帯電話機２２３の測定部２２３によって第２空間２２０の照明パラメータ及び空調パラメータが測定される（図１２：ステップＳ４３）。実施例３においては、第２空間２２０はアマゾンの密林が想定されているため、照明パラメータとは太陽光の照度及び色度であり、空調パラメータとはアマゾンの密林内の外気温及び外湿度である。測定された照明パラメータ及び空調パラメータはメモリ部２２３ｅに記録されてもよい。
【０１１４】
次に、携帯電話機２２３から携帯電話機２１３に対して、測定された照明パラメータ及び空調パラメータが電話網を利用して送信される（図１２：ステップＳ４４）。なお、当該データの送信は、携帯電話機２２３にあるアプリケーションプログラムによって自動的に行われる。
【０１１５】
次に、携帯電話機２１３において、制御部２１３ｆの制御により、受信した照明パラメータ及び空調パラメータがメモリ部２１３ｅに記録される。更に、制御部２１３ｆが受信した照明パラメータ及び空調パラメータに基づき制御信号を生成し、当該制御信号を第１照明装置２１１及び第１空調装置２１２に送信する（図１２：ステップＳ４５）。具体的には、制御部２１３ｆが無線通信部２１３ｃを制御し、近距離無線通信によって当該制御信号が第１照明装置２１１及び第１空調装置２１２に送信される。
【０１１６】
次に、制御信号に基づいて、第１照明装置２１１及び第１空調装置２１２を制御する（図１２：ステップＳ４６）。具体的には、第１照明装置２１１において、制御部２１１ｂが受信した制御信号に応じて発光部２１１ａに供給する電力等を制御し、第２空調装置２１２において、制御部２１２ｃが受信した制御信号に応じて温度調整部２１２ａ及び湿度調整部２１２ｂに供給する電力等を制御する。
【０１１７】
次に、第１照明装置２１１の調光及び調色がなされて第２空間２２０で測定された照明パラメータと同一の光が第１照明装置２１１から出射し、第１空間２１０の温度及び湿度の調整がなされて第１空間２１０の温度及び湿度が第２空間２２０の温度及び湿度と同一になる（図１２：ステップＳ４７）。
【０１１８】
上述したような一連の制御フローを経ることにより、第１空間２１０の第１照明装置２１１から出射する光は、第２空間２１０の太陽光と同一の照度及び色度を有することになる。また、第１空間２１０の温度及び湿度は、第２空間２２０の温度及び湿度と同一になる。このようにすることにより、携帯電話機２１３の操作者は、第２空間２２０のアマゾンの密林にいる通話相手と通話しつつ、第２空間２２０の空間であるアマゾンの気候（照度、色度、温度、及び湿度）を体感することができる。
【０１１９】
また、携帯電話機２１３の操作者は、第２空間２２０の太陽光の詳細な照明パラメータ、並びに第２空間２２０の温度及び湿度を知る必要がないため、第１照明装置２１１の調光及び調色並びに温度及び湿度の変更のためのダイアル等を詳細に制御する必要がなく、容易に第１照明装置２１１の調光及び調色並びに温度及び湿度調整を実行することができる。
【０１２０】
実施例３においては、携帯電話機２２３の測定部２２３ｄが、空間パラメータを取得する取得手段として機能し、携帯電話機２１３の制御部２１３ｆが空間パラメータを制御する制御手段として機能し、携帯電話機２２３の無線通信部２２３ｃが空間パラメータを伝送する伝送手段として機能する。従って、当該取得手段及び当該伝送手段は、所定の空間である第２空間２２０に設けられた携帯電話機２２３に含まれ、当該制御手段は、空間パラメータが制御されることになる空間である第１空間２１０に設けられた携帯電話機２１３に含まれることになる。なお、当該取得手段には、音声入力出力部が含まれることになる。
【０１２１】
また、携帯電話機２１３の無線通信部２１３ｃが、空間パラメータを受信する受信手段として機能する。
【０１２２】
なお、上述した実施例３においては、携帯電話機同士によって照明パラメータ及び空調パラメータの送受信を直接的に行っていたが、サーバ装置を介して照明パラメータ及び空調パラメータの送受信を行ってもよい。
【０１２３】
また、通話相手の携帯電話機２２３に測定部２２３ｄ等がない場合には、アマゾン等の気候データが記録されているサーバ装置にアクセスし、照明パラメータ及び空調パラメータをダウンロードするようにしてもよい。これらの動作は、携帯電話機２１３のメモリ部２１３ｅに記録されたアプリケーションプログラムによって実現することができる。このような場合、照明パラメータ及び空調パラメータの測定部は、携帯電話機２２３の外部であって、第２空間２２０内の他の場所に設置されることになる。
【０１２４】
更に、上述した実施例３の制御フローにおいては、携帯電話機２１３において照明パラメータ及び空調パラメータを補正していなかったが、上述した実施例１と同様にして補正してもよい。このようにすることで、携帯電話機２１３の操作者は、屋内と屋外との空間の相違によらず、屋内にいながら屋外の照明、温度、及び湿度をより正確に体感することができる。
【０１２５】
そして、各携帯電話機に小型のカメラ等の映像取得部を内蔵させ、テレビ電話を可能にしてもよい。この場合、上述した当該取得手段には、当該映像取得部が含まれることになる。
【実施例４】
【０１２６】
実施例４においては、レストランのフランチャイズ本部等の特定の場所に居る者が、フランチャイズ各店舗の空間パラメータをフランチャイズ本部の空間パラメータに合わせるように制御することができる空間制御システム３０１について、図１４乃至図１６を参照しつつ以下に説明する。ここで、図１４は、実施例４に係る空間制御システム３０１のブロック図であり、図１５は、実施例４に係る空間制御システム３０１における制御フロー図であり、図１６は、実施例４に係る空間制御システム３０１の模式図である。
【０１２７】
＜空間制御システムの全体構成＞
先ず、図１４を参照しつつ本発明の実施例４に係る空間制御システ３０１の全体構成を説明する。実施例４においては、空間パラメータの制御として、実施例２及び実施例３と同様に、照明パラメータ及び空調パラメータを制御する場合を説明する。
【０１２８】
図１４に示すように、空間制御システム３０１においては、第１空間３１０内に第１照明装置３１１、第１空調装置３１２、及び空間制御装置３１３が設置されている。また、空間制御システム３０１においては、第２空間３２０内に第２照明装置３２１、第２空調装置３２２、及び空間制御装置３２３が設置されている。同様に、第３空間３３０内に、第３照明装置３３１、第２空調装置３３２、及び空間制御装置３３３が設置されている。更に、空間制御システム３０１は、第１空間３１０、第２空間３２０、及び第３空間３３０とは異なる空間にサーバ装置３４０を有している。
【０１２９】
実施例４において、第１空間３１０とは、例えばレストランのフランチャイズ本部を想定し、第２空間３２０及び第３空間３３０とは、例えばフランチャイズ各店舗を想定している。なお、第１空間３１０、第２空間３２０、及び第３空間３３０は、上述した具体的な空間に限定されることなく、照明装置及び空調装置が設置されている一般的な屋内及び屋外の空間を想定することができる。
【０１３０】
第１照明装置３１１、第２照明装置３２１、及び第３照明装置３３１は、一般的なＬＥＤ照明である。特に、第１照明装置３１１は、発光源として発光ダイオードを用いた発光部３１１ａを備え、第２照明装置３２１は、発光源として発光ダイオードを用いた発光部３２１ａを備え、第３照明装置３３１は、発光源として発光ダイオードを用いた発光部３３１ａを備えている。
【０１３１】
第１空調装置３１２、第２空調装置３２２、及び第３空調装置３３２は、例えば、一般的なエア・コンディショナーである。特に、第１空調装置３１２は、第１空間３１０内の温度を調整する温度調整部３１２ａ、及び第１空間３１０内の湿度を調整する湿度調整部
３１２ｂを備えている。また、第２空調装置３２２は、第２空間３２０内の温度を調整する温度調整部３２２ａ、及び第２空間３２０内の湿度を調整する湿度調整部３２２ｂを備えている。更に、第３空調装置３３２は、第３空間３３０内の温度を調整する温度調整部３３２ａ、及び第３空間３３０内の湿度を調整する湿度調整部３３２ｂを備えている。
【０１３２】
空間制御装置３１３は、第１照明装置３１１及び第２空調装置３１２を制御し、第１空間３１０内の照明パラメータ及び空調パラメータを制御する制御機器である。また、空間制御装置３１３は、第１空間３１０の照明パラメータ及び空調パラメータを測定し、当該測定結果に基づいて、フランチャイズ各店舗の空間（第２空間３２０及び第３空間３３０）の照明パラメータ及び空調パラメータを制御することもできる。図１４に示すように、空間制御装置３１３は、サーバ装置３４０と無線通信をなすための無線通信部３１３ａと、所定のプログラムが記録されたメモリ部３１３ｂと、第１空間の照明パラメータ及び空調パラメータを測定する測定部３１３ｃと、無線通信部３１３ａ、メモリ部１１３ｂ及び測定部３１３ｃの制御をなすとともに第１照明装置３１１及び第１空調装置３１２に供給する電力等を決定して両装置の動作状態を制御する制御部３１３ｄと、を備えている。実施例４においては、空間制御装置３１３は、第１空間３１０であるフランチャイズ本部の部屋の壁に取り付けられ、第１照明装置３１１及び第１空調装置３１２と電気ケーブル等で電気的に接続されている。
【０１３３】
無線通信部３１３ａは、空間制御装置３１３とサーバ装置３４０とが比較的に遠距離となるため、例えば、無線ＭＡＮ又は無線ＷＡＮ等の遠距離無線通信規格によるデータの送受信を行うことができる無線送信機であってもよい。なお、空間制御装置３１３をリモコン等の持ち運び自在な機器の場合、第１照明装置３１１及び第１空調装置３１２とZigBee（登録商標）、Bluetooth（登録商標）、又は無線ＬＡＮ等の近距離無線通信規格によるデータの送信を行うことができる無線送信機を含んでいてもよい。このような場合には、第１照明装置３１１及び第１空調装置３１２は無線受信機である無線通信部を備えることになる。
【０１３４】
メモリ部３１３ｂは、例えば、一般的な揮発性の半導体メモリである。メモリ部３１３ｂには、第１照明装置３１１及び第１空調装置３１２を制御するためのプログラム、及び第１空間３１０の照明パラメータ及び空調パラメータを測定して、当該測定結果をサーバ装置３４０にアップロードするためのプログラムが記録されている。
【０１３５】
測定部３１３ｃは、例えば、照明パラメータを測定するための一般的且つ小型の照度計及び色度計と、空調パラメータを測定するための温度計及び湿度計と、から構成されている。当該測定部３１３ｃは、実施例２の測定部１２３ａと同一構成であるため、その説明は省略する。
【０１３６】
制御部３１３ｄは、メモリ部３１３ｂに記録されたプログラムを実行し、第１照明装置３１１及び第１空調装置３１２を制御する。また、制御部３１３ｄは、メモリ部３１３ｂに記録されたプログラムを実行し、第１空間３１０の照明パラメータ及び空調パラメータを測定し、その後に無線通信部３１３ａを制御して当該測定結果をサーバ装置３４０にアップロードする。制御部３１３ｄは、一般的な中央処理装置を用いてもよい。
【０１３７】
空間制御装置３２３は、第２照明装置３２１及び第２空調装置３２２を制御し、第２空間３２０内の照明パラメータ及び空調パラメータを制御する制御機器である。図１４に示すように、空間制御装置３２３は、サーバ装置３４０と無線通信をなすための無線通信部３２３ａ、及び無線通信部３２３ａの制御をなすとともに第２照明装置３２１及び第２空調装置３２２に供給する電力等を決定して両装置の動作状態を制御する制御部３２３ｂを備えている。実施例４においては、空間制御装置３２３は、第２空間３２０である部屋の壁に取り付けられ、第２照明装置３２１及び第２空調装置３２２と電気ケーブル等で電気的に接続されている。
【０１３８】
無線通信部３２３ａは、空間制御装置３２３とサーバ装置３４０とが比較的に遠距離となるため、例えば、無線ＭＡＮ又は無線ＷＡＮ等の遠距離無線通信規格によるデータの送受信を行うことができる無線受信機であってもよい。なお、空間制御装置３２３をリモコン等の持ち運び自在な機器の場合、第２照明装置３２１及び第２空調装置３２２とZigBee（登録商標）、Bluetooth（登録商標）、又は無線ＬＡＮ等の近距離無線通信規格によるデータの送信を行うことができる無線送信機を含んでいてもよい。このような場合には、第２照明装置３２１及び第２空調装置３２２は無線受信機である無線通信部を備えることになる。
【０１３９】
制御部３２３ｂは、無線通信部３２３ａを介して受信した照明パラメータ及び空調パラメータに基づいて、第２照明装置３２１及び第２空調装置３２２を制御する。より具体的には、制御部３２３ｂは、受信した照明パラメータ及び空調パラメータに応じて発光部３２１ａ、温度調整部３２２ａ、及び湿度調整部３２２ｂに供給される電力等を制御し、発光部３２１ａから出射する光の照度及び色度、第２空調装置３２２から供給される空気の温度及び湿度を制御する。制御部３２３ｂは、一般的な中央処理装置を用いてもよい。
【０１４０】
空間制御装置３３３は、空間制御装置３２３と同様に、第３照明装置３３１及び第３空調装置３３２を制御し、第３空間３３０内の照明パラメータ及び空調パラメータを制御する制御機器である。図１４に示すように、空間制御装置３３３は、空間制御装置３２３と同様に、無線通信部３３３ａ及び制御部３３３ｂを備えている。なお、空間制御装置３３３は、空間制御装置３２３と同一の構成であるため、詳細な説明は省略する。
【０１４１】
サーバ装置３４０は、照明パラメータ及び空調パラメータを格納するとともに、当該照明パラメータに対する演算も可能な一般的なコンピュータである。具体的な構成として、サーバ装置３４０は、空間制御装置３１３の測定部３１３ｃによって測定された測定データである照明パラメータ及び空調パラメータを格納するメモリ部３４０ａと、空間制御装置３１３、３２３、３３３と無線通信をなすための無線通信部３４０ｂと、測定データの処理及びサーバ装置３４０の各構成部の制御をなす制御部３４０ｃと、を備えている。
【０１４２】
なお、サーバ装置３４０を構成する各部は、実施例２のサーバ装置１４０と同一であるため、詳細な説明は省略する。
＜空間制御システムにおける制御＞
【０１４３】
次に、図１４乃至図１６を参照しつつ、空間制御システム３０１における制御フローを説明する。実施例４においては、第１空間３１０であるフランチャイズ本部の部屋にいる空間制御装置３１３の操作者が、フランチャイズ各店舗の空間パラメータを第１空間３１１と同一にするための制御が想定されている。
【０１４４】
先ず、空間制御装置３１３によって第１照明装置３１１から出射する光の照度及び色度である照明パラメータ、並びに第１空間３１１の温度及び湿度である空調パラメータが測定される（図１５：ステップＳ５１）。具体的には、第１空間３１１に居る空間制御装置３１３の操作者が、空間制御装置３１３を操作し、空間制御装置３１３にインストールされているプログラムを実行させることにより、第１空間３１１の空間パラメータが測定される。
【０１４５】
次に、空間制御装置３１３の無線通信部３１３ａとサーバ装置３４０の無線通信部３４０ｂとが通信可能状態となり、測定された照明パラメータ及び空調パラメータがサーバ装置３４０に送信される（図１５：ステップＳ５２）。当該データの送信は、上述したプログラムを実行することにより、制御部３１３ｄが自動的に行う。
【０１４６】
次に、サーバ装置３４０において、制御部３４０ｃの制御により、受信した照明パラメータ及び空調パラメータがメモリ部３４０ａに記録される（図１５：ステップＳ５３）。ここでサーバ装置３４０は、受信した全ての照明パラメータをそれぞれ記録してもよく、又は上書きをして最新データのみを記録してもよい。また、サーバ装置３４０において空間パラメータが記録された後に、上述した実施例１と同様に、当該空間パラメータを補正し、補正後の空間パラメータを記録してもよい。
【０１４７】
次に、サーバ装置３４０の制御部３４０ｃは、空間制御装置３１３から照明パラメータ及び空調パラメータが記録されると、当該記録した空調パラメータを各店舗の空間制御装置（すなわち、第２空間３２０の空間制御装置３２３、及び第３空間３３０の空間制御装置３３３）に当該照明パラメータ及び空調パラメータを送信し、各空間の照明パラメータ及び空調パラメータの制御を指示する（図１５：ステップＳ５４）。なお、図１４においては、第２空間３２０及び第３空間３３０の２つの店舗が示されているが、より多くの店舗に照明パラメータ及び空調パラメータの制御指示を行ってもよく、或いは選択された店舗のみに当該制御指示を行ってもよい。この場合、店舗の選択は、第１空間３１０に設置された空間制御装置３１３から行うことになる。
【０１４８】
次に、制御部３２３ｂが受信した照明パラメータ及び空調パラメータに基づき、第２照明装置３２１及び第２空調装置３２２を制御し、制御部３３３ｂが受信した照明パラメータ及び空調パラメータに基づき、第３照明装置３３１及び第３空調装置３３２を制御する
（図１５：ステップＳ５５）。具体的には、制御部３２３ｂがダウンロードした照明パラメータ及び空調パラメータに基づいて第２照明装置３２１及び第２空調装置３２２の動作状態を決定し、当該動作状態を実現できるように第２照明装置３２１及び第２空調装置３２２への電力等の供給を制御する。同様に、制御部３３３ｂがダウンロードした照明パラメータ及び空調パラメータに基づいて第３照明装置３３１及び第３空調装置３３２の動作状態を決定し、当該動作状態を実現できるように第３照明装置３３１及び第３空調装置３３２への電力等の供給を制御する。
【０１４９】
次に、第２照明装置３２１の調光及び調色がなされて第１空間３１０で測定された照明パラメータと同一の光が第２照明装置３２１から出射し、第２空間３２０の温度及び湿度の調整がなされて第２空間３２０の温度及び湿度が第１空間３１０の温度及び湿度と同一になる（図１５：ステップＳ５６）。同様に、第３照明装置３３１の調光及び調色がなされて第１空間３１０で測定された照明パラメータと同一の光が第３照明装置３３１から出射し、第３空間３３０の温度及び湿度の調整がなされて第３空間３３０の温度及び湿度が第１空間３１０の温度及び湿度と同一になる。
【０１５０】
上述したような一連の制御フローを経ることにより、第２空間３２０の第２照明装置３２１から出射する光及び第３空間３３０の第３照明装置３３１から出射する光は、第１空間３１０の第１照明装置３１１から出射する光と同一の照度及び色度を有することになる。また、第２空間３２０及び第３空間３３０の温度及び湿度は、第１空間３１０の温度及び湿度と同一になる。このようにすることにより、空間制御装置３１３の操作者であるフランチャイズ本部に居る者は、選択したフランチャイズ店舗において同一の空間を提供できるように、フランチャイズ店舗の空間を一括して制御することができる。
【０１５１】
また、空間制御装置３１３の操作者は、第１照明装置３１１から出射する光の詳細な照明パラメータ、並びに第１空間３１０の温度及び湿度を知る必要がなく、フランチャイズの各店舗に対して、照明パラメータ及び空調パラメータの制御指示を容易に行うことができる。
【０１５２】
実施例４においては、空間制御装置３１３の測定部３１３ｃが、空間パラメータを取得する取得手段として機能し、空間制御装置３１３の制御部３１３ｄが制御手段として機能する。また、無線通信部３１３ａからサーバ装置３４０を介して無線通信部３２３ａ、３３３ａに空間パラメータが伝送されることが伝送手段に該当することになり、当該伝送手段にはサーバ装置３４０が含まれることになる。更に、空間制御装置３２３、３３３の無線通信部３２３ａ、３３３ａが、空間パラメータを受信する受信手段に該当する。従って、実施例４においては、当該制御手段が空間制御装置３１３に含まれ、当該受信手段が空間制御装置３２３、３３３に含まれることになる。
【０１５３】
上述した実施例２においては、サーバ装置３４０を介して照明パラメータ及び空調パラメータが送受信されていたが、空間制御装置３１３から空間制御装置３２３、３３３に直接的に照明パラメータ及び空調パラメータが送信されてもよい。このような場合、空間制御装置３２３、３３３がメモリ部を有し、当該メモリ部に受信した照明パラメータ及び空調パラメータが記録されてもよい。
【０１５４】
また、上述した実施例４の制御フローにおいては、サーバ装置３４０において空間パラメータを補正していなかったが、上述した実施例１と同様にして補正してもよい。
【０１５５】
更に、空間制御装置３１３、３２３、３３３は、各空間の壁等に設置されるだけでなく、照明装置及び空調装置のそれぞれの内部に独立して設けられてもよい。
【実施例５】
【０１５６】
実施例５においては、スタジアムにて行われている競技をスポーツバーで放映する際に、スポーツバーの空間パラメータをスタジアムの空間パラメータに合わせるように制御することができる空間制御システムについて、図１７乃至図１９を参照しつつ以下に説明する。ここで、図１７は、実施例５に係る空間制御システム４０１のブロック図であり、図１８は、実施例４に係る空間制御システム４０１における制御フロー図であり、図１７は、実施例５に係る空間制御システム４０１の模式図である。
【０１５７】
＜空間制御システムの全体構成＞
先ず、図１７を参照しつつ本発明の実施例５に係る空間制御システム４０１の全体構成を説明する。実施例５においては、空間パラメータの制御として、実施例２と同様に、照明パラメータ及び空調パラメータを制御する場合を説明する。
【０１５８】
図１７に示すように、空間制御システム４０１においては、第１空間４１０内に第１照明装置４１１、第１空調装置４１２、表示装置４１３、音声出力装置４１４及び空間制御装置４１５が設置されている。また、空間制御システム４０１においては、第２空間４２０内に空間パラメータ測定装置４２１、ビデオカメラ４２２、及び通信装置４２３が設置されている。更に、空間制御システム４０１は、第１空間４１０及び第２空間４２０とは異なる空間にサーバ装置４３０を有している。実施例５において、第１空間４１０とは、例えばスポーツバーを想定し、第２空間４２０とは、屋外のスタジアムを想定している。なお、第１空間４１０及び第２空間４２０は、上述した具体的な空間に限定されることなく、照明装置及び空調装置が設置されている一般的な屋内及び屋外の空間を想定することができる。
【０１５９】
第１照明装置４１１は、一般的なＬＥＤ照明である。特に、第１照明装置４１１は、発光源として発光ダイオードを用いた発光部４１１ａを備えている。
【０１６０】
第１空調装置４１２は、例えば、一般的なエア・コンディショナーである。特に、第１空調装置４１２は、第１空間４１０内の温度を調整する温度調整部４１２ａ、及び第１空間４１０内の湿度を調整する湿度調整部４１２ｂを備えている。
【０１６１】
表示装置４１３は、例えば、大きなホール等で用いられる大画面の液晶テレビ、投影機、プロジェクター等の一般的な動画を表示するための装置である。
【０１６２】
音声出力装置４１４は、スピーカ等の音声を出力するための装置である。表示装置４１３が液晶テレビである場合、音声出力装置４１４は、表示装置４１３に内蔵されていていることになる。
【０１６３】
空間制御装置４１５は、第１照明装置４１１及び第１空調装置４１２を制御し、第１空間４１０内の照明パラメータ及び空調パラメータを制御する制御機器である。図１７に示すように、空間制御装置４１３は、サーバ装置４３０と無線通信をなすための無線通信部４１５ａと、所定のプログラムが記録されたメモリ部４１５ｂと、無線通信部４１５ａ及びメモリ部４１５ｂの制御をなすとともに第１照明装置４１１及び第１空調装置４１２に供給する電力等を決定して両装置の動作状態を制御する制御部４１３ｃと、を備えている。実施例５においては、空間制御装置４１５は、第１空間４１０である部屋の壁に取り付けられ、第１照明装置４１１、第１空調装置４１２、表示装置４１３、及び音声出力装置４１４と電気ケーブル等で電気的に接続されている。
【０１６４】
無線通信部４１５ａは、空間制御装置４１５とサーバ装置４３０とが比較的に遠距離となるため、例えば、無線ＭＡＮ又は無線ＷＡＮ等の遠距離無線通信規格によるデータの送受信を行うことができる無線受信機であってもよい。なお、空間制御装置１１３をリモコン等の持ち運び自在な機器の場合、第１照明装置４１１、第１空調装置４１２、表示装置４１３、及び音声出力装置４１４とZigBee（登録商標）、Bluetooth（登録商標）、又は無線ＬＡＮ等の近距離無線通信規格によるデータの送信を行うことができる無線送信機を含んでいてもよい。このような場合には、第１照明装置４１１、第１空調装置４１２、表示装置４１３、及び音声出力装置４１４は無線受信機である無線通信部を備えることになる。
【０１６５】
メモリ部４１５ｂは、例えば、一般的な揮発性の半導体メモリである。メモリ部４１５ｂには、第１照明装置４１１及び第１空調装部４１２を制御するためのプログラムが記録されている。例えば、空間制御装置４１５の操作者が希望のスタジアム等の映像を選択することにより、当該スタジアムの照明パラメータ及び空調パラメータを再現するようなプログラムが記録されている。
【０１６６】
制御部４１５ｃは、メモリ部４１５ｂに記録されたプログラムを実行し、第１照明装置４１１及び第１空調装置４１２を制御する。また、制御部４１５ｃは、ダウンロードした映像データ及び音声データに応じて、表示装置４１３及び音声出力装置４１４を制御する。より具体的には、無線通信部４１５ａを制御して、サーバ装置４３０にアクセスし、所望の空間（本実施例では第２空間４２０）の照明パラメータ、空調パラメータ、映像データ、及び音声データをダウンロードする。そして、制御部４１５ｃは、ダウンロードした照明パラメータ及び空調パラメータに応じて発光部４１１ａ、温度調整部４１２ａ、及び湿度調整部４１２ｂに供給される電力等を制御し、発光部４１１ａから出射する光の照度及び色度、第１空調装置から供給される空気の温度及び湿度を制御する。また、制御４１５ｃは、受信した映像データ及び音声データに応じて、表示装置４１３及び音声出力装置４１４を制御し、第２空間４２０の映像及び音声を出力する。
【０１６７】
空間パラメータ測定装置４２１は、第２空間４２０における光の照度及び色度等である照明パラメータ、並びに第２空間４２０内の温度及び湿度で空調パラメータを測定する測定機器である。空間パラメータ測定装置４２１は、例えば、照明パラメータを測定するための一般的且つ小型の照度計及び色度計と、空調パラメータを測定するための温度計及び湿度計と、から構成されている。空間パラメータ測定装置４２１は、実施例２の測定部１２３ａと同一構成であるため、その説明は省略する。
【０１６８】
ビデオカメラ４２２は、スタジアム内で実施されているスポーツ等の中継に使用される一般的な電子機器であって、映像取得部及び音声取得部を備えている。すなわち、ビデオカメラ４２２は、空間制御システム４０１の映像取得部及び音声取得部として機能している。
【０１６９】
通信装置４２３は、サーバ装置４３０にアクセスして、第２空間４２０の各種の空間情報をアップロードするための装置である。図１７に示すように、通信装置４２３は、無線通信部４２３ａ、無線通信部４２３ａを制御するための制御部４２３ｂを備えている。また、通信装置４２３は、空間パラメータ測定装置４２１及びビデオカメラ４２２と電気ケーブルによって接続されており、空間パラメータ測定装置４２１及びビデオカメラ４２２から照明パラメータ、空調パラメータ、映像データ、及び音声データを受信することができる。
【０１７０】
無線通信部４２３ａは、通信装置４２３とサーバ装置４３０とが比較的に遠距離となるため、例えば、無線ＭＡＮ又は無線ＷＡＮ等の遠距離無線通信規格によるデータの送受信を行うことができる無線送信機器であってもよい。
【０１７１】
制御部４２３ｂは、他の制御部と同様に、一般的な中央処理装置を用いてもよい。
【０１７２】
サーバ装置４３０は、照明パラメータ、空調パラメータ、映像データ、及び音声データを格納するとともに、当該照明パラメータに対する演算も可能な一般的なコンピュータである。具体的な構成として、サーバ装置４３０は、第２空間４２０における照明パラメータ、空調パラメータ、映像データ、及び音声データを格納するメモリ部４３０ａと、空間制御装置４１５及び通信装置４２３と無線通信をなすための無線通信部４３０ｂと、測定データの処理及びサーバ装置４３０の各構成部の制御をなす制御部４３０ｃと、を備えている。
【０１７３】
メモリ部４３０ａは、例えば、一般的な揮発性の半導体メモリである。また、メモリ部４３０ａは、互いに異なる空間の空間パラメータを、個別に記録するとともに当該記録された空間パラメータを自在に取り出すことができる。
【０１７４】
無線通信部４３０ｂは、空間制御装置４１５との距離及び通信装置４２３との距離が比較的に遠距離となるため、例えば、無線ＭＡＮ又は無線ＷＡＮ等の遠距離無線通信規格によるデータの送受信を行うことができる無線送受信機器であってもよい。
【０１７５】
制御部４３０ｃには、例えば、メモリ部４３０ａ及び無線通信部４３０ｂの動作を制御する一般的な中央処理装置を用いてもよい。また、制御部４３０ｃは、上述した実施例１に係る空間制御端末３０の制御部３０ｄと同様に、通信装置４２３から受信した第２空間１２０の空間パラメータに対して補正等の演算を行い、各種の空間に適合する最適な空間パラメータを算出してもよい。
＜空間制御システムにおける制御＞
【０１７６】
次に、図１７乃至図１９を参照しつつ、空間制御システム４０１における制御フローを説明する。実施例５においては、第１空間４１０であるスポーツバーに居る空間制御装置４１５の操作者が、第２空間４２０であるスタジアムの空間パラメータを第１空間４１０にて擬似的に再現し、臨場感がより増したサービスの提供をなすまでの空間パラメータの制御が想定されている。
【０１７７】
先ず、空間パラメータ測定装置４２１によって第２照明装置４２０における光の照度及び色度である照明パラメータ、並びに第２空間４２０の温度及び湿度である空調パラメータが測定され、ビデオカメラ４２２によって第２空間４２０内で行われているスポーツ競技がビデオ撮影（すなわち、映像データ及び音声データが取得）される（図１８：ステップＳ６１）。ここで、照明パラメータとは、第２空間４２０が屋外のスタジアムであるため、太陽光の照度及び色度となる。そして、測定された照明パラメータ及び空調パラメータ、並びに取得された映像データ及び音声データは、通信装置４２３に送信される。
【０１７８】
次に、通信装置４２３の無線通信部４２３ａとサーバ装置４３０の無線通信部４３０ｂとが通信可能状態となり、測定された照明パラメータ及び空調パラメータ並びに取得した映像データ及び音声データがサーバ装置４３０に送信される（図１８：ステップＳ６２）。なお、第２空間４２０における照明パラメータ及び空調パラメータの測定及びサーバ装置４３０への送信は自動的且つ定期的に行われる。また、映像データ及び音声データの送信は、逐次行われることになるが、通信装置内４２３内にメモリ部を設けて、一定の周期にて定期的に送信するようにしてもよい。
【０１７９】
次に、サーバ装置４３０において、制御部４３０ｃの制御により、受信した照明パラメータ、空調パラメータ、映像データ、及び音声データがメモリ部４３０ａに記録される（図１８：ステップＳ６３）。ここでサーバ装置４３０は、受信した全ての照明パラメータ及び空調パラメータをそれぞれ記録してもよく、又は上書きをして最新データのみを記録してもよい。また、サーバ装置４３０において空間パラメータが記録された後に、上述した実施例１と同様に、当該空間パラメータを補正し、補正後の空間パラメータを記録してもよい。
【０１８０】
なお、図１７においては、第２空間４２０の照明パラメータ、空調パラメータ、映像データ、及び音声データがサーバ装置４３０に送信されるように図示されているが、実際には、第１空間４１０及び第２空間４２０以外の複数の他の空間（例えば、他のスタジアム等の屋外施設）の各種パラメータ及び各種データが送信されている。従って、サーバ装置４２０においては、空間ごとに照明パラメータ、空調パラメータ、映像データ、及び音声データが記録されていることになる。
【０１８１】
次に、第１空間４１０に居る空間制御装置４１５の操作者が空間制御装置４１５を操作し、空間制御装置４１５からサーバ装置４３０にアクセスし、サーバ装置４３０から第２空間４２０の照明パラメータ、空調パラメータ、映像データ、及び音声データをダウンロードする（図１８：ステップＳ６４）。より具体的には、空間制御装置の操作ボタン又は操作画面（図示せず）等を操作して、メモリ部４１５ｂ内に記録されたプログラムを立ち上げ、第２空間４２０であるスタジアムを選択する。その後は、空間制御装置４１５からサーバ装置４３０にアクセスが自動的になされ、メモリ部４３０ａ内に記録された第２空間１２０の照明パラメータ、空調パラメータ、映像データ、及び音声データがダウンロードされることになる。
【０１８２】
次に、制御部４１５ｃがダウンロードした照明パラメータ、空調パラメータ、映像データ、及び音声データに基づき、第１照明装置４１１、第１空調装置４１２、表示装置４１３、及び音声出力装置４１４を制御する。（図１８：ステップＳ６５）。具体的には、制御部４１５ｃがダウンロードした照明パラメータ及び空調パラメータに基づいて第１照明装置４１１及び第１空調装置４１２の動作状態を決定し、当該動作状態を実現できるように第１照明装置４１１及び第１空調装置４１２への電力等の供給を制御する。また、制御部４１５ｃがダウンロードした映像データ及び音声データに基づいて表示装置４１３及び音声出力装置４１４の動作を決定し、当該動作を実現できるように表示装置４１３及び音声出力装置４１４への電力及びデータ信号等の供給を制御する。
【０１８３】
次に、第１照明装置４１１の調光及び調色がなされて第２空間４２０で測定された照明パラメータと同一の光が第１照明装置４１１から出射し、第１空間４１０の温度及び湿度の調整がなされて第１空間４１０の温度及び湿度が第２空間４２０の温度及び湿度と同一になる。また、映像データに基づいた映像が表示装置４１３から出力され、音声データに基づいた音声が音声出力装置４１４から出力され、第２空間４２０であるスタジアムで行われているスポーツ競技が表示装置４１３及び音声出力装置４１４によって放映される（図１８：ステップＳ６６）。
【０１８４】
上述したような一連の制御フローを経ることにより、第１空間４１０の第１照明装置４１１から出射する光は、第２空間４２０の太陽光と同一の照度及び色度等を有することになる。また、第１空間４１０の温度及び湿度は、第２空間４２０の温度及び湿度と同一になる。このようにすることにより、空間制御装置４１５の操作者は、第１空間４１１であるスポーツバーにおいて、第２空間４２０のスポーツ中継を単にするだけでなく、第２空間４２０の照明パラメータ及び空間パラメータを再現して、より臨場感のあるスポーツ放映を提供するサービスを実現することができる。
【０１８５】
また、空間制御装置４１５の操作者は、第２照明装置４２１から出射する光の詳細な照明パラメータ、並びに第２空間４２０の温度及び湿度を知る必要がないため、第１照明装置４１１の調光及び調色並びに温度及び湿度の変更のためのダイアル等を詳細に制御する必要がなく、容易に第１照明装置４１１の調光及び調色並びに温度及び湿度調整を実行することができる。
【０１８６】
実施例５においては、空間パラメータ測定装置４２１が、空間パラメータを取得する取得手段として機能し、空間制御装置４１５の制御部４１５ｃが制御手段として機能する。また、無線通信部４２３ａからサーバ装置４３０を介して無線通信部４１５ａに空間パラメータが伝送されることが伝送手段に該当することになり、当該伝送手段にはサーバ装置４３０が含まれることになる。更に、空間制御装置４１５の無線通信部４１５ａが、空間パラメータを受信する受信手段に該当する。従って、実施例５においては、当該制御手段及び当該受信手段が空間制御装置４１５に含まれることになる。
【０１８７】
なお、上述した実施例５においては、第１空間４１０をスポーツバーとし、第２空間４２０をスタジアムとしたが、例えば、第１空間４１０を家屋又はテレビスタジオとし、第２空間４２０をロケ地としてもよい。このような場合には、映像及び音声以外にも、第２空間であるロケ地の空間パラメータを屋内又はテレビスタジオにリアルタイムに提供することができ、テレビの視聴者及びスタジオにおける閲覧者に対して、より現実的なサービスを提供することができる。
【０１８８】
更に、上述した実施例５においては、サーバ装置４３０を介して各種パラメータ及び各種データが送受信されていたが、第２空間４２０から第１空間４１０に対して直接的に各種パラメータ及び各種データが送信されてもよい。このような場合、空間制御装置４１５のメモリ部４１５ｂに受信した各種パラメータ及び各種データが記録されてもよいし、別の専用メモリを設けてもよい。
【０１８９】
そして、上述した実施例５の制御フローにおいては、サーバ装置４３０において照明パラメータ及び空調パラメータを補正していなかったが、上述した実施例１と同様にして補正してもよい。このようにすることで、空間制御装置４１５の操作者は、より臨場感のあるスポーツ中継を提供するサービスを実現することができる。
【符号の説明】
【０１９０】
１    照明システム
１０    第１空間
１１    第１照明装置
１１ａ    発光部
１１ｂ    制御部
２０    第２空間
２１    第２照明装置
２１ａ    発光部
２１ｂ    制御部
２１ｃ    無線通信部
３０    空間制御端末
３０  ａ    測定部
３０ｂ    メモリ部
３０ｃ    無線通信部
３０ｄ    制御部
【図１】
2014143090.tif 000003
【図２】
2014143090.tif 000004
【図３】
2014143090.tif 000005
【図４】
2014143090.tif 000006
【図５】
2014143090.tif 000007
【図６】
2014143090.tif 000008
【図７】
2014143090.tif 000009
【図８】
2014143090.tif 000010
【図９】
2014143090.tif 000011
【図１０】
2014143090.tif 000012
【図１１】
2014143090.tif 000013
【図１２】
2014143090.tif 000014
【図１３】
2014143090.tif 000015
【図１４】
2014143090.tif 000016
【図１５】
2014143090.tif 000017
【図１６】
2014143090.tif 000018
【図１７】
2014143090.tif 000019
【図１８】
2014143090.tif 000020
【図１９】
2014143090.tif 000021